(57)【要約】【課題】金属イオンなどの添加物の無駄な消費を防止することができる洗濯乾燥システムを提供すること。【解決手段】洗濯物Ｓの水洗い、脱水、乾燥、アイロンがけの各作業を並行して連続的に行う洗濯乾燥システムを、洗濯物Ｓを水洗いする連続式洗濯機１０と、連続式洗濯機１０において水洗いされた洗濯物Ｓを脱水する脱水機２０と、脱水機２０において脱水された洗濯物Ｓを乾燥させる乾燥機と、乾燥機において乾燥された洗濯物Ｓをアイロンがけするアイロナと、水洗い後の洗濯物Ｓ、詳しくは脱水前、乾燥前、アイロンがけ前の洗濯物Ｓに金属イオンを含む水を供給する金属イオン水吹付装置５０とを備える構成とした。【選択図】図２
2008200379.tif 000002
【特許請求の範囲】
【請求項１】
洗濯物の洗浄、すすぎ、脱水、乾燥、アイロンがけの各作業を並行して連続的に行う洗濯乾燥システムであって、
前記洗濯物の洗浄およびすすぎを行う連続式洗濯機と、
前記連続式洗濯機において洗浄およびすすぎが行われた前記洗濯物を脱水する脱水機と、
前記脱水機において脱水された前記洗濯物を乾燥させる乾燥機と、
前記乾燥機において乾燥された前記洗濯物をアイロンがけするアイロナと、
洗浄およびすすぎを終えた前記洗濯物に添加物を含む水を供給する水供給手段と、
を備えることを特徴とする洗濯物の洗濯乾燥システム。
【請求項２】
前記水供給手段は、水洗いされた前記洗濯物が前記連続式洗濯機から前記脱水機に受け渡される過程で、前記洗濯物に前記添加物を含む水を供給することを特徴とする請求項１に記載の洗濯物の洗濯乾燥システム。
【請求項３】
前記水供給手段は、前記脱水機に投入された前記洗濯物に前記添加物を含む水を供給することを特徴とする請求項１に記載の洗濯物の洗濯乾燥システム。
【請求項４】
前記脱水機にて脱水が行われることで生じる排水を、前記連続式洗濯機に供給することを特徴とする請求項２または３に記載の洗濯物の洗濯乾燥システム。
【請求項５】
前記水供給手段は、前記乾燥機に投入された前記洗濯物に前記添加物を含む水を供給することを特徴とする請求項１に記載の洗濯物の洗濯乾燥システム。
【請求項６】
前記水供給手段は、前記乾燥機から前記アイロナに受け渡された前記洗濯物に前記添加物を含む水を供給することを特徴とする請求項１に記載の洗濯物の洗濯乾燥システム。
【請求項７】
前記水供給手段は、前記洗濯物に前記添加物を含む水を供給するときに、前記添加物を含む水を前記洗濯物に吹き付けることを特徴とする請求項１から６のいずれかに記載の洗濯物の洗濯乾燥システム。
【請求項８】
前記添加物が金属イオンであることを特徴とする請求項１から７のいずれかに記載の洗濯物の洗濯乾燥システム。
【発明の詳細な説明】
【技術分野】
【０００１】
本発明は、洗濯物の洗浄、すすぎ、脱水、乾燥、アイロンがけの各作業を並行して連続的に行う洗濯乾燥システムに関し、特に洗濯物に金属イオンなどの添加物を添加することが可能な洗濯物の洗濯乾燥システムに関する。
【背景技術】
【０００２】
衣類や寝具、おしぼりなど人肌に触れる布類においては、使われているうちに微生物が繁殖することが知られている。そこで、上記布類の使用に伴う微生物の繁殖を防止するために、洗濯の際に、布類に銀イオンなどの金属イオンを添加することが提案されている。
【０００３】
布類に金属イオンを添加する方法としては、例えばドラム式洗濯乾燥機を使用して布類を洗濯する際、乾燥工程に金属イオンをミスト化して洗濯物に吹き付けるなどして添加する方法が知られている（例えば、特許文献１参照。）。ただし、この方法においては、洗濯乾燥機に金属イオンをミスト化する手段、すなわちミスト発生手段を設ける必要となり、設備コストが嵩む点が指摘されている。その他に、洗濯の仕上げ工程において洗濯物に金属イオンを添加する方法が知られている。この方法によれば、仕上げ後の洗濯物に抗菌抗カビ作用を付与することができる。
【０００４】
金属イオンの添加は、洗濯水や仕上げ水に金属電極を介して金属イオンを添加する方法と、金属イオンを含ませた水溶液を洗濯水や仕上げ水に添加する方法とに大別される。いずれの方法によっても、洗濯物の洗濯のプロセスにおいて最適なタイミングで無駄なく処理を行うことが可能である。
【０００５】
【特許文献１】特開２００６−１４１５７８号公報
【発明の開示】
【発明が解決しようとする課題】
【０００６】
しかしながら、上述したいずれの金属イオンの添加方法においても、洗濯機の洗濯水や仕上げ水に金属イオンを添加し、洗濯水や仕上げ水を介して金属イオンを間接的に洗濯物に付着させるようになっている。そのため、洗濯水や仕上げ水に添加された金属イオンは、ほんの一部だけが洗濯物に付着し、残りの大部分は洗濯水や仕上げ水に含まれたまま外部に排出されてしまう。
また、特許文献１を含め、金属イオンを添加して洗濯を行う従来の提案は、家庭用の洗濯機を対象としたものである。これに対し工業用の洗濯設備（洗濯乾燥システム）においては、処理する洗濯物の量も膨大であり、従来の家庭用の洗濯機を対象とした技術をそのまま適用したのでは、水に含まれた金属イオンの大部分が外部に排出されてしまうという問題は決して無視できないものとなる。これは、金属イオンの無駄な消費量が増えるというだけでなく、排水の水質管理という観点からも解決しなければならない。
本発明は、このような技術的課題に基づいてなされたもので、金属イオンなどの添加物の無駄な消費を防止することができる洗濯乾燥システムを提供することを目的とする。
【課題を解決するための手段】
【０００７】
本発明の洗濯乾燥システムは、洗濯物の洗浄、すすぎ、脱水、乾燥、アイロンがけの各作業を並行して連続的に行う洗濯乾燥システムであって、洗濯物の洗浄およびすすぎを行う連続式洗濯機と、連続式洗濯機において洗浄およびすすぎが行われた洗濯物を脱水する脱水機と、脱水機において脱水された洗濯物を乾燥させる乾燥機と、乾燥機において乾燥された洗濯物をアイロンがけするアイロナと、洗浄およびすすぎを終えた洗濯物に添加物を含む水を供給する水供給手段とを備えることを特徴としている。
【０００８】
このような構成において、水供給手段では、洗浄およびすすぎを終えた洗濯物が連続式洗濯機から脱水機に受け渡される過程で、洗濯物に添加物を含む水を供給してもよい。洗濯物に付着した水（添加物を含む）は、脱水機において洗濯物とともに加圧されるので、添加物が洗濯物の繊維の隙間に強制的に行き渡る。したがって、洗濯乾燥後の洗濯物に添加物を多く残存させることができる。
洗浄およびすすぎを終えた洗濯物に、連続式洗濯機から脱水機に受け渡される過程で添加物を含む水を直接供給すると、添加物および水の使用量が少なくて済む。洗浄およびすすぎを終えて連続式洗濯機から取り出された洗濯物には、すすぎに使用した仕上げ水が染みているが、その量は連続式洗濯機からの排水に比べて明らかに少ないので、脱水機において洗濯物から脱水される水（添加物が含まれる）の量も当然少なくなる。つまり、排出される水の量を考慮して多量の添加物を水に添加する必要がないので、金属イオンを無駄に消費することがない。また、排水に含まれる添加物の量が少ないので、環境にも優しい。
【０００９】
また、水供給手段では、脱水機に投入された洗濯物に添加物を含む水を供給してもよい。この場合も上記と同様の作用が得られる。
なお、脱水機に投入された洗濯物に添加物を含む水を供給するタイミングは、脱水工程の中盤、もしくは後半であってもよい。このタイミングで添加物を含む水を供給すると、脱水時における上記作用はあまり望めないが、脱水を終えた洗濯物が乾燥機に投入されたとき、洗濯物に付着した水（添加物を含む）が、乾燥機の撹拌力や遠心力によって添加物が洗濯物の繊維間に行き渡り易くなる。したがって、洗濯乾燥後の洗濯物に添加物を多く残存させることができる。
【００１０】
ところで、脱水機にて脱水が行われることで生じる排水を、連続式洗濯機に供給するようにしてもよい。
【００１１】
また、水供給手段では、乾燥機に投入された洗濯物に添加物を含む水を供給してもよい。洗濯物に付着した水（添加物を含む）は、乾燥機の撹拌力や遠心力によって添加物が洗濯物の繊維間に強制的に行き渡る。したがって、洗濯乾燥後の洗濯物に添加物を多く残存させることができる。
【００１２】
水供給手段では、乾燥機からアイロナに受け渡された洗濯物に添加物を含む水を供給してもよい。洗濯物に付着した水（添加物を含む）は、アイロナにおいて洗濯物とともに加圧されるので、添加物が洗濯物の繊維の隙間に強制的に行き渡る。したがって、洗濯乾燥後の洗濯物に添加物を多く残存させることができる。
【００１３】
このようにして、洗浄およびすすぎを終えた洗濯物に添加物を含む水を供給すると、脱水、乾燥、アイロンがけといった工程において添加物を洗濯物に確実に行き渡らせることができるので、添加物および水の使用量が少なくて済む。ここで、水供給手段で供給する添加物を含んだ水の供給量は、洗濯物の全体に添加物を行き渡らせるのに必要十分な量とすべきであり、その主旨からしてもなるべく少ない量とするのが好ましい。また、水の供給形態は問うものではないが、添加物を効率良く洗濯物に行き渡らせるためには、水供給手段で、洗濯物に添加物を含む水を供給するときに、添加物を含む水を洗濯物に吹き付けるのが好ましい。
【００１４】
ところで、水に添加する添加物はいかなるものであっても良いが、抗菌抗カビ作用を得るために金属イオンを添加物とすることができる。
【発明の効果】
【００１５】
本発明によれば、洗浄とすすぎとを終えた洗濯物に添加物を含む水を直接供給するので、脱水、乾燥、アイロンがけといった工程において添加物を洗濯物に確実に行き渡らせることができ、添加物の使用量が少なくて済む。したがって、添加物の無駄な消費を防止することができる。
【発明を実施するための最良の形態】
【００１６】
以下、添付図面に示す実施の形態に基づいてこの発明を詳細に説明する。
（第一の実施形態）
本実施形態の洗濯乾燥システムは、主に業務用に使用されるシステムであって、図１に示すように、洗濯物Ｓの洗浄とすすぎとを行う連続式洗濯機１０と、連続式洗濯機１０において洗浄およびすすぎを終えた洗濯物Ｓを脱水するプレス式の脱水機２０と、脱水機２０において脱水された洗濯物Ｓを乾燥させるドラム式の乾燥機３０と、乾燥機３０において乾燥された洗濯物Ｓを複数の蒸気ロールを使ってアイロンがけするアイロナ４０とを備えている。システムを構成する各装置は、洗濯物Ｓの洗浄、すすぎ、脱水、乾燥、アイロンがけの各作業を並行して連続的に行うことができる。
【００１７】
連続式洗濯機１０には、これから洗濯しようとする衣類や寝具などの洗濯物Ｓを連続式洗濯機１０に投入するための搬送コンベア１１が設けられている。連続式洗濯機１０と脱水機２０との間には、洗浄およびすすぎを終えた水洗いされた洗濯物Ｓを脱水機２０に投入するためのシュータ２１が設けられている。脱水機２０と乾燥機３０との間には、脱水された洗濯物Ｓを乾燥機３０に投入する搬送コンベア３１が設けられている。乾燥機３０とアイロナ４０との間には、乾燥された洗濯物Ｓをアイロナ４０に投入するための搬送コンベア４１が設けられている。
【００１８】
図２に示すように、シュータ２１には、添加物としての金属イオンを含む水（以下、これを金属イオン水と称することがある。）を吹き付ける金属イオン水吹付装置（水供給手段）５０が設けられている。金属イオン水吹付装置５０は、洗浄およびすすぎを終えた洗濯物Ｓが連続式洗濯機１０から脱水機２０に受け渡される過程で、洗濯物Ｓの上方から洗濯物Ｓに向けて金属イオン水を吹き付ける。水に添加される金属イオンとしては、抗菌効果を生む銀、消臭効果を生むプラチナなどが用いられる。
【００１９】
金属イオン水吹付装置５０は、図３に示すように、シュータ２１を跨ぐ門形のフレーム５１と、シュータ２１の上方を横切るように配設されたフレーム５１のバー５２に取り付けられた複数の噴射ノズル５３とを備えている。各噴射ノズル５３には、同ノズルに金属イオン水を供給する供給装置（図示略）が接続されている。上記複数の噴射ノズル５３は、シュータ２１の幅方向に離間して並べて配置されており、シュータ２１を通過する洗濯物Ｓにほぼ均一な量の金属イオン水を吹き付ける。
【００２０】
上記のように構成された洗濯乾燥システムにおける処理の流れについて説明する。
まず、搬送コンベア１１を介して連続式洗濯機１０に投入された洗濯物Ｓは、連続式洗濯機１０において、洗剤が投入された水で洗浄される。洗剤で洗われた洗濯物Ｓは仕上げ水ですすぎ処理され、洗剤を洗い流される。すすぎを終えた洗濯物Ｓは、シュータ２１を介して脱水機２０に投入される。金属イオン水は、洗浄およびすすぎを終えた洗濯物Ｓがシュータ２１を介して連続式洗濯機１０から脱水機２０に受け渡される過程で、洗濯物Ｓの上方から洗濯物Ｓに向けて吹き付けられる。脱水機２０に投入された洗濯物Ｓは、脱水機２０の下プレス部２２および上プレス部２３において挟み込まれてプレスされ、脱水される。このとき、洗濯物Ｓに含まれる金属イオン水は、一部が洗濯物Ｓに拡散され、残りの大部分が下方に押し出される。脱水された洗濯物Ｓは、搬送コンベア３１を介して乾燥機３０に投入される。乾燥機３０に投入された洗濯物Ｓは、乾燥機３０のドラム内で回転されながら乾燥した温風にさらされ、水分を除去される。乾燥された洗濯物Ｓは、搬送コンベア４１を介してアイロナ４０に投入される。アイロナ４０に投入された洗濯物Ｓは、複数の蒸気ロール４２をくぐる過程でシワを伸ばされ、形を整えられる。
【００２１】
上記のように構成された洗濯乾燥システムによれば、洗浄およびすすぎを終えた洗濯物Ｓがシュータ２１を介して連続式洗濯機１０から脱水機２０に受け渡される過程で、洗浄およびすすぎを終えた洗濯物Ｓに金属イオン水を直接吹き付けるので、従来のように洗濯水や仕上げ水に金属イオンを添加するのと比較して、金属イオンを含む水が排水される量が少なく、金属イオンが少量で済む。すなわち、洗浄およびすすぎを終えて連続式洗濯機１０から取り出された洗濯物Ｓには、仕上げ水が染みているが、その量は連続式洗濯機１０からの排水に比べて明らかに少ないので、脱水機２０において脱水される水（金属イオンが含まれる）の量も当然少なくなる。つまり、排出される水の量を考慮して多量の添加物を水に添加する必要がないので、金属イオンを無駄に消費することがない。また、金属イオン水の排出量が少なくなるので、環境への影響も少ない。
また、脱水機２０にて脱水が行われることで生じる排水を、連続式洗濯機１０に供給するようにしてもよい。これにより、洗浄段階でも洗濯物Ｓに金属イオンを供給できるほか、連続式洗濯機１０の水槽の部分の抗菌等の効果も期待できる。
【００２２】
（第二の実施形態）
続いて、本発明の第二の実施形態について説明する。なお、上記第一の実施形態において既に説明された構成要素には同一の符号を付して説明は省略する。
図４に示すように、脱水機２０には、シュータ２１を介して投入された洗濯物Ｓに添加物としての金属イオンを含む水を吹き付ける金属イオン水吹付装置（水供給手段）５５が設けられている。金属イオン水吹付装置５５は、脱水機２０の下プレス部２２および上プレス部２３に隣接する位置に立設されたバー５６と、バー５６の先端に取り付けられた複数の噴射ノズル５７とを備えている。各噴射ノズル５７には、同ノズルに金属イオン水を供給する供給装置（図示略）が接続されている。上記複数の噴射ノズル５７は、散布領域が重複しないように向きを振り分けて配置されており、下プレス部２２上に置かれた洗濯物Ｓにほぼ均一な量の金属イオン水を吹き付ける。
【００２３】
上記のように構成された洗濯乾燥システムにおいて、金属イオン水は、シュータ２１を介して脱水機２０の下プレス部２２上に投入された洗濯物Ｓに向けて、同洗濯物Ｓの上方から吹き付けられる。金属イオン水を洗濯物Ｓに吹き付けた後、上プレス部２３が下プレス部２２に向けて下降し、下プレス部２２上の洗濯物Ｓが脱水される。上プレス部２３の昇降は複数回行われる。
上記のように構成された洗濯乾燥システムによれば、シュータ２１を介して脱水機２０の下プレス部２２上に投入された洗濯物Ｓに金属イオン水を直接吹き付け、浸透させるので、従来のように洗濯水や仕上げ水に金属イオンを添加するのと比較して、金属イオンを含む水が排水される量が少なく、金属イオンが少量で済む。したがって、金属イオンを無駄に消費することがない。また、金属イオン水の排出量が少なくなるので、環境への影響も少ない。
【００２４】
なお、脱水機２０に投入された洗濯物Ｓに金属イオン水を吹き付けるタイミングは、上プレス部２３の複数回の昇降による脱水工程の中盤、もしくは後半であってもよい。このタイミングで添加物を含む水を吹き付けると、脱水時における上記作用はさほど望めないが、脱水を終えた洗濯物Ｓが乾燥機３０に投入されたとき、洗濯物Ｓに付着した水（金属イオンを含む）が、乾燥機３０の撹拌力や遠心力によって添加物が洗濯物Ｓの繊維間に強制的に行き渡る。したがって、洗濯乾燥後の洗濯物Ｓに添加物を多く残存させることができる。
この場合も、脱水機２０にて脱水が行われることで生じる排水を、連続式洗濯機１０に供給するようにしてもよい。
【００２５】
（第三の実施形態）
続いて、本発明の第三の実施形態について説明する。なお、上記第一の実施形態において既に説明された構成要素には同一の符号を付して説明は省略する。
図５に示すように、乾燥機３０には、搬送コンベア３１を介して投入された洗濯物Ｓに添加物としての金属イオンを含む水を吹き付ける金属イオン水吹付装置（水供給手段）６０が設けられている。金属イオン水吹付装置６０は、乾燥機３０の回転ドラム３２を支持して同ドラムを回転駆動する駆動軸６１と、駆動軸６１から回転ドラム３２の内側に向けて突き出した噴射ノズル６２とを備えている。噴射ノズル６２には、同ノズルに金属イオン水を供給する供給装置（図示略）が接続されている。また、乾燥機３０には、回転ドラム３２の内側に乾いた温風を吹き込む温風生成装置（図示略）が設けられている。
【００２６】
上記のように構成された洗濯乾燥システムにおいて、金属イオン水は、搬送コンベア３１を介して乾燥機３０に投入された洗濯物Ｓに向けて吹き付けられる。金属イオン水は、回転ドラム３２を回転させながら洗濯物Ｓに吹き付けても良いし、回転ドラム３２を停止させた状態で吹き付けても良い。洗濯物Ｓに金属イオン水を吹き付けた後、回転ドラム３２を所定時間にわたって回転駆動させ、金属イオン水を洗濯物Ｓの全体に浸透させるのが好ましい。この間、温風生成装置は駆動させないのが好ましい。回転ドラム３２を所定時間にわたって回転駆動させた後、温風生成装置が駆動され、回転ドラム３２内の洗濯物Ｓに乾いた温風が供給され、洗濯物Ｓが乾燥される。
【００２７】
上記のように構成された洗濯乾燥システムによれば、搬送コンベア３１を介して回転ドラム３２に投入された洗濯物Ｓに金属イオン水を直接吹き付けるので、従来のように洗濯水や仕上げ水に金属イオンを添加するのと比較して、金属イオンを含む水が排水される量がほとんどなく、金属イオンが少量で済む。したがって、金属イオンを無駄に消費することがない。また、金属イオン水の排出量が極微量になるので、環境への影響も少ない。
また、洗濯物Ｓに付着した水（金属イオンを含む）が、乾燥機３０の撹拌力や遠心力によって加圧されるので、添加物が洗濯物Ｓの繊維間に強制的に行き渡る。したがって、洗濯乾燥後の洗濯物Ｓに添加物を多く残存させることができる。
【００２８】
なお、本実施形態においては、金属イオン水の噴射ノズル６２を回転ドラム３２の駆動軸６１の中心に設けたが、噴射ノズル６２はそれ以外の場所、例えば乾燥機３０の扉６３側に設けられてもよい。
【００２９】
（第四の実施形態）
続いて、本発明の第四の実施形態について説明する。なお、上記第一の実施形態において既に説明された構成要素には同一の符号を付して説明は省略する。
図６に示すように、アイロナ４０には、搬送コンベア４１を介して投入される直前の洗濯物Ｓに添加物としての金属イオンを含む水を吹き付ける金属イオン水噴霧装置（水供給手段）６５が設けられている。金属イオン水噴霧装置６５は、図７に示すように、アイロナ４０の導入部を跨ぐ門形のフレーム６６と、アイロナ４０の導入の上方を横切るように配設されたフレーム６６のバー６７に取り付けられた複数の噴霧ノズル６８とを備えている。噴霧ノズル６８には、同ノズルに金属イオン水を供給する供給装置（図示略）が接続されている。上記複数の噴霧ノズル６８は、散布領域が重複しないように向きを振り分けて配置されており、アイロナ４０の導入部に至った洗濯物Ｓに、ほぼ均一な量の金属イオン水を、例えば霧状にして吹き付ける。また、アイロナ４０には、複数の蒸気ロール４２と組み合わされた蛇行する搬送経路を形成する波形面４３が設けられている。複数の蒸気ロール４２と波形面４３とによって形成された蛇行する搬送経路には、洗濯物Ｓが蒸気ロール４２によって強制的に送り込まれる。
【００３０】
上記のように構成された洗濯乾燥システムにおいて、金属イオン水は、搬送コンベア４１を介してアイロナ４０に投入された洗濯物Ｓに向けて吹き付けられる。洗濯物Ｓに金属イオン水を吹き付けた後、洗濯物Ｓが蒸気ロール４２によって強制的に送り込まれ、複数の蒸気ロール４２をくぐる過程でシワを伸ばされ、形を整えられる。
【００３１】
上記のように構成された洗濯乾燥システムによれば、搬送コンベア４１を介してアイロナ４０に投入される直前の洗濯物Ｓに金属イオン水を直接吹き付けるので、従来のように洗濯水や仕上げ水に金属イオンを添加するのと比較して、金属イオンを含む水が排水される量がほとんどなく、金属イオンが少量で済む。したがって、金属イオンを無駄に消費することがない。また、金属イオン水の排出量が極微量になるので、環境への影響も少ない。
また、洗濯物Ｓがアイロナ４０の蒸気ロール４２によって加圧されるので、添加物が洗濯物Ｓの繊維間に強制的に行き渡る。したがって、洗濯乾燥後の洗濯物Ｓに添加物を多く残存させることができる。また、金属イオン水を霧状にして供給することで、スチームがけを兼ねることもできる。
【００３２】
ところで、上記のすべての実施形態においては、銀やプラチナなどの金属イオンを添加した水を洗濯物Ｓに吹き付けたが、添加物には、防虫剤や撥水剤、アロマ、ＵＶカット剤などの薬剤を使用してもよい。
これ以外にも、本発明の主旨を逸脱しない限り、上記実施の形態で挙げた構成を取捨選択したり、他の構成に適宜変更したりすることが可能である。
【図面の簡単な説明】
【００３３】
【図１】本発明の洗濯乾燥システムの、すべての実施形態に共通する全体構成を示す概略図である。
【図２】本発明の洗濯乾燥システムの第一の実施形態を示す図であって、連続式洗濯機およびその後段の脱水機、ならびに金属イオン水吹付装置を示す概略図である。
【図３】本発明の洗濯乾燥システムの第一の実施形態に具備される金属イオン水吹付装置を示す概略図である。
【図４】本発明の洗濯乾燥システムの第二の実施形態を示す図であって、脱水機の内部構造を示す概略図である。
【図５】本発明の洗濯乾燥システムの第三の実施形態を示す図であって、乾燥機の内部構造を示す概略図である。
【図６】本発明の洗濯乾燥システムの第四の実施形態を示す図であって、アイロナの内部構造を示す概略図である。
【図７】本発明の洗濯乾燥システムの第四の実施形態に具備される金属イオン水噴霧装置を示す概略図である。
【符号の説明】
【００３４】
１０…連続式洗濯機、１１，３１，４１…搬送コンベア、２０…脱水機、２１…シュータ、３０…乾燥機、３２…回転ドラム、４０…アイロナ、４２…蒸気ロール、５０，５５，６０…金属イオン水吹付装置（水供給手段）、６５…金属イオン水噴霧装置（水供給手段）
【図１】
2008200379.tif 000003
【図２】
2008200379.tif 000004
【図３】
2008200379.tif 000005
【図４】
2008200379.tif 000006
【図５】
2008200379.tif 000007
【図６】
2008200379.tif 000008
【図７】
2008200379.tif 000009